(57)【要約】金融機関の窓口に設置される紙幣処理装置であって、装置前方に設置され、入金紙幣を投入する入金口部と、入金口部に設けられ、投入された紙幣を１枚ずつに分離する繰出部と、繰出部により分離された紙幣を識別する入金識別部で正常と判定された紙幣を収納する一時保留部と、入金識別部で異常と判定された紙幣を集積する返却口と、入金口部と一時保留部と返却口とをつなぐ入金搬送路と、を備え、装置後方に設置され、装置内の紙幣を取り出すための紙幣回収部と、一時保留部に収納された紙幣を紙幣回収部に移動させる回収移動部と、を備える。
2018003145.tif 000002
【特許請求の範囲】
【請求項１】
金融機関の窓口に設置される紙幣処理装置であって、
装置前方に設置され、入金紙幣を投入する入金口部と、前記入金口部に設けられ、投入された紙幣を１枚ずつに分離する繰出部と、前記繰出部により分離された紙幣を識別する入金識別部で正常と判定された紙幣を収納する一時保留部と、前記入金識別部で異常と判定された紙幣を集積する返却口と、前記入金口部と前記一時保留部と前記返却口とをつなぐ入金搬送路と、を備え、
装置後方に設置され、装置内の紙幣を取り出すための紙幣回収部と、前記一時保留部に
収納された紙幣を前記紙幣回収部に移動させる回収移動部と、
を備えることを特徴とする紙幣処理装置。
【請求項２】
請求項１に記載の紙幣処理装置において、
前記回収移動部により移動された紙幣を１枚ずつに分離して繰出す一時保留繰出部と、前記一時保留部から分離された紙幣を識別する回収識別部と、搬送元の情報と回収識別部の情報の少なくともいずれかの情報により、回収する紙幣を複数の紙幣回収部に振り分ける制御部と、前記紙幣回収部のいずれかに、振り分けられた紙幣を集積する集積部と、前記一時保留繰出部と、前記回収識別部と、前記集積部とをつなぐ回収搬送路とを有していることを特徴とする紙幣処理装置。
【請求項３】
請求項２に記載の紙幣処理装置において、
前記回収識別部と前記紙幣回収部との間に位置し、搬送されてくる紙幣の方向に基づいて、紙幣の天地を揃える天地揃え部または／および紙幣の表裏を揃える表裏反転部を有していることを特徴とする紙幣処理装置。
【請求項４】
請求項２に記載の紙幣処理装置において、
前記紙幣回収部が、搬送されてきた紙幣を一括して取り出し可能なカセット構造を有していることを特徴とする紙幣処理装置。
【請求項５】
請求項２に記載の紙幣処理装置において、
前記紙幣回収部が、搬送されてきた紙幣を指定された枚数毎に帯封する束巻き機構を有していることを特徴とする紙幣処理装置。
【請求項６】
請求項２に記載の紙幣処理装置において、
入金搬送路と回収搬送路とが互いに独立していることを特徴とする紙幣処理装置。
【請求項７】
請求項６に記載の紙幣処理装置において、
複数の一時保留部を備え、少なくとも１つの一時保留部が空である場合に、入金取引を行うことを特徴とする紙幣処理装置。
【請求項８】
請求項２に記載の紙幣処理装置において、
前記入金識別部下流から分岐して、前記回収搬送路へ直接紙幣を搬送するバイパス搬送路を有していることを特徴とする紙幣処理装置。
【請求項９】
請求項２に記載の紙幣処理装置において、
前記回収搬送路に接続され、前記回収識別部の下流から分岐して、搬送されてきた紙幣を金種別に一時収納し、且つ、金種別に収納した紙幣を前記回収識別部上流側に搬送する金種別スタッカ部を備えたことを特徴とする紙幣処理装置。
【発明の詳細な説明】
【技術分野】
【０００１】
本発明は、紙幣処理装置に関する。
【背景技術】
【０００２】
従来、銀行等の金融機関の窓口では、顧客との間で入金取引が行われている。特に、貨幣価値の低い国の銀行窓口では大量の紙幣の入金取引が行われている。貨幣価値の低い国の紙幣は、一般的に汚れ等の汚損も多く、又、偽造券の存在も無視できない。【０００３】
このため、銀行の窓口では、大量の紙幣を人手にて１枚１枚チェックしたり、金種別に区分けしたり、枚数を数えるのに多くの工数を必要とするため、窓口業務の効率化の妨げになっている。【０００４】
このような問題の対応として、窓口での入金業務を機械化して業務を効率することが行われるようになった。例えば、特許文献１では、通常は窓口の中に設置され、窓口業務を行うテラーが顧客から預かった紙幣を計数、選別したりして装置内へ金種別に分別し収納したり、装置内の紙幣を顧客へ払い出すために、テラーに金種別に必要数を計数して放出するものである。
【先行技術文献】
【特許文献】
【０００５】
【特許文献１】特開２０１６−２９５１８号公報
【発明の概要】
【発明が解決しようとする課題】
【０００６】
上記特許文献１に記載の装置では、以下のような課題があった。前記装置では、大量の入金取引が連続すると頻繁に装置内の収納部が満杯になり、紙幣を回収しなければならない。紙幣の回収にあたっては、紙幣の収納部を取り外したり、出金機能を用いて紙幣を放出する必要が有り、いづれにしてもその間は業務が中断し、顧客からの入金を受け付けられないという問題があった。【０００７】
国によっては、入金業務において、入金しようとする顧客からテラーが紙幣を受け取り、その紙幣が顧客の視界から見えなくなった時点で取引が成立すると考える慣例がある場合が多く、前記装置を顧客自身に操作させるように、窓口の外向きに設置するような使い方がされている。このような国においても、装置内の収納部が満杯になった場合には、上記と同様の問題が生じてしまう。【０００８】
本発明は、上記に鑑みてなされたものであって、顧客が入金操作中であってもテラーによる紙幣の回収が可能な紙幣処理装置を提供することを目的とする。また、テラーが回収操作中であっても顧客による紙幣の入金が可能な紙幣処理装置を提供することを目的とする。
【課題を解決するための手段】
【０００９】
上記課題を解決し、目的を達成するために、本発明にかかる紙幣処理装置は、金融機関の窓口に設置される紙幣処理装置であって、装置前方に設置され、入金紙幣を投入する入金口部と、前記入金口部に設けられ、投入された紙幣を１枚ずつに分離する繰出部と、前記繰出部により分離された紙幣を識別する入金識別部で正常と判定された紙幣を収納する一時保留部と、前記入金識別部で異常と判定された紙幣を集積する返却口と、前記入金口部と前記一時保留部と前記返却口とをつなぐ入金搬送路と、を備え、装置後方に設置され、装置内の紙幣を取り出すための紙幣回収部と、前記一時保留部に収納された紙幣を前記紙幣回収部に移動させる回収移動部と、を備えることを特徴とする紙幣処理装置として構成される。
【発明の効果】
【００１０】
本発明によれば、顧客が入金操作中であってもテラーによる紙幣の回収が可能となる。また、テラーが回収操作中であっても顧客による紙幣の入金が可能となる。
【図面の簡単な説明】
【００１１】
【図１】紙幣処理装置の設置状態図である。
【図２】実施例１の紙幣処理装置側面図である。
【図３】実施例２の紙幣処理装置側面図である。
【図４】実施例３の紙幣処理装置側面図である。
【図５】実施例４の紙幣処理装置側面図である。
【図６Ａ】実施例４の金種別スタッカの搬送方向を示す図である。
【図６Ｂ】実施例４の金種別スタッカの繰出方向を示す図である。
【図７】実施例２の制御部のデータテーブル構成を示す図である。
【発明を実施するための形態】
【００１２】
以下、本発明の実施例を図１〜図７を用いて説明する。以下では、本発明にかかる紙幣処理装置を、紙幣を入金処理する紙幣処理装置に適用した場合について説明しているが、テラーが顧客から媒体を受け付けて処理する様々な装置に適用することができる。以下では、装置前方に顧客が入金紙幣を投入する入金口部と入金に適さない紙幣を返却する返却口を設け、装置後方にテラーが入金業務中でも入金された装置内の紙幣を回収することが出来る紙幣回収部を設けることにより、装置内に大量の紙幣が滞留することなくかつ大量の入金取引を継続して行うことができる。また、入金処理中にも既に入金された紙幣を紙幣回収部に搬送し取り出せるように、入金経路と回収経路を分けた。したがって、装置を停止させず、顧客入金処理中にテラーへの回収処理が可能になり、銀行内での作業効率向上を図ることができる。
【００１３】
図１に、本発明にかかる紙幣処理装置の一実施形態である紙幣処理装置を金融機関の窓口に設置した状態を示す。
紙幣処理装置１は、顧客８が入金取引を行う側を装置前面として設置され、銀行員であるテラー７が操作する側を装置後面として設置される。
【００１４】
紙幣処理装置１は端末６および供給電源９に接続され、テラー７の操作により端末６から指示を受けて動作する。
【００１５】
顧客８は入金紙幣５を紙幣処理装置１の紙幣処理部３に投入すると、テラー７は端末６を操作して入金紙幣の計数を行う。計数が終了すると金額・枚数が表示部２に表示され、投入金額と計数結果の一致を顧客８が図示しない確認キーを押下する事などで確認すると、テラー７が入金処理(伝票/通帳印字、口座残高への反映など)を行い入金取引が終了する。
【００１６】
続いて、実施例１〜４に共通する紙幣処理部３の構成について説明する。
紙幣処理部３は、ＣＰＵ、メモリなどを含む制御部４を有している。制御部４は、紙幣処理部３の収集した情報（例えば、入金識別部１１、回収識別部２０が取得した情報）、又は紙幣処理装置１からの指示に基づき、後述する入金動作、回収動作、整理計数動作を実施するように紙幣処理部３を制御する。
【００１７】
また、記憶部であるメモリは、後述する図７に示すように、それぞれの一時保留部（１３〜１６）、それぞれの回収部（１００〜１０３、２３〜２６）それぞれの金種別スタッカ部（４１〜４７）、及び返却口部１２に収納される紙幣の種類の情報を記憶する。また、記憶部は、後述するそれぞれの一時保留部（１３〜１６）、それぞれの回収部（１００〜１０３、２３〜２６）それぞれの金種別スタッカ部（４１〜４７）、及び返却口部１２に収納する紙幣の枚数である所定量（例えば、満杯枚数又はニアフル（満杯が近いことを示す枚数））を記憶してもよい。また、それぞれの一時保留部（１３〜１６）、それぞれの回収部（１００〜１０３、２３〜２６）それぞれの金種別スタッカ部（４１〜４７）、及び返却口部１２に収納される紙幣の種類の情報及び所定量は、外部からの入力により変更可能であってよい。
【００１８】
図７は、メモリが記憶するデータの例を示す図である。図７では、データがテーブル形式で記憶されている場合について示しているが、各項目が対応付けられていれば、どのような形式であってもよい。図7に示すように、データテーブルは、メモリ上の物理的なアドレスと、各部位のデータテーブルと、そのデータテーブルにおける枚数または情報が対応付けて記憶されている。データテーブルには、各部位（損券一時保留部１３、金種混合一時保留部１４〜１６、損券回収カセット２３、リジェクト紙幣回収カセット２４、紙幣帯封回収ユニット２５〜２６、金種別スタッカ４１〜４７）ごとに、金種枚数、正券枚数、損券枚数、束枚数、状態情報、集積設定情報等の各情報が記憶されている。
【００１９】
紙幣処理部３は、顧客８が投入する紙幣５を受け付ける入金口部１０、入金口部１０が受け付けた紙幣を一枚ずつに分離し、入金搬送路１７へ繰出する繰出部１０Ａ、繰出部１０Ａにより、分離される紙幣を一時保留部へ搬送する入金搬送路１７、入金搬送路１７に搬送される紙幣の種類の判定を行う入金識別部１１、入金識別部の判定に基づき、入金搬送路１７により搬送された紙幣を収納する複数の一時保留部１３〜１６及び返却口部１２、一時保留部に一時的に収納した紙幣を入金取引確定後に回収部（１００〜１０３、２３〜２６）へ移動する回収移動部（１２０〜１２３、２７）、回収移動部（１２０〜１２３、２７）により回収された紙幣を紙幣処理部３の外部に取り出し可能に構成された回収部（１００〜１０３、２３〜２６）から構成する。
【００２０】
入金識別部１１は、紙幣の種類（例えば、正損、真偽、金種、方向、又は年代）を判定する。紙幣処理部３は、入金識別部１１の判定に基づき、それぞれの種類の紙幣の枚数を計数してもよい。
【００２１】
入金口部１０及び返却口部１２は、顧客８が入金取引を行う装置前面側に、回収部（１００〜１０３、２３〜２６）は、装置後面側に配置する。入金口部１０は、返却口部１２の上方に位置する。紙幣処理部３の入金搬送路１７は、搬送部（例えば、紙幣を一枚ずつ搬送する搬送ローラ又は搬送ベルト）を有し、搬送部により紙幣を一枚ずつ搬送する。
【００２２】
各一時保留部１３〜１６は、例えば、金種混合、金種別、正損混合、正損別、真偽混合、真偽別、方向混合、方向別、搬送状態混合、搬送状態別、年代混合、年代別又はこれらの組み合わせで紙幣を収納する一時保留部を含んでも良い。紙幣処理部３は、一時保留部１３〜１６を複数有して良い。また、紙幣処理部３は、それぞれの一時保留部の所定量（例えば、満杯又はニアフル）を検知するセンサ（例えば、光学センサ）を有してよい。また、一時保留部は、紙幣を収納する口と、紙幣を放出する口とを一時保留部の反対方向に配置し、先に収納された紙幣を先に繰出す構成であってよい。
【００２３】
各回収部１３〜１６は、例えば、金種混合、金種別、正損混合、正損別、真偽混合、真偽別、方向混合、方向別、搬送状態混合、搬送状態別、年代混合、年代別又はこれらの組み合わせで紙幣を収納する回収部を含んでも良い。紙幣処理部３は、回収部１３〜１６を複数有して良い。紙幣処理部３は、回収部の回収カセット（１００〜１０３、２３〜２４）を引き出す引き出し部（例えば、回収カセットをスライドするレール又は回収カセットを移動させる移動ローラ）を有し、引き出し部により、回収部の回収カセット（１００〜１０３、２３〜２４）は、紙幣処理部３から着脱可能とする。また、紙幣処理部３は、それぞれの回収部の所定量（例えば、満杯又はニアフル）を検知するセンサ（例えば、光学センサ）を有してよい。
【００２４】
入金搬送路１７は、入金口１０から繰り出され、一時保留部（１３〜１６）に搬送される紙幣の種類の判別を行う入金識別部１１を経由し、入金識別部１１により判別された紙幣の種類に基づき、当該紙幣の種類を収納する一時保留部（１３〜１６）へ紙幣を搬送する。また、入金搬送路１７は、入金識別部１１の前後で、複数の一時保留部（１３〜１６）へ搬送する際に共用される共用搬送路であってよい。ここで、紙幣処理部３は、入金識別部１１の判定した紙幣の種類に基づきそれぞれの種類の紙幣の枚数を計数してもよい。
【００２５】
紙幣処理部３は、入金動作時に紙幣が移動する入金経路と、回収動作時に紙幣が移動する回収経路とが、独立していてもよい。言い換えると、紙幣処理部３は、入金口部から一時保留部又は返却口へ紙幣を搬送する入金搬送路１７、及び一時保留部から回収部へ紙幣を移動する回収する回収搬送路２７において、共通して利用する搬送路を有さない構成であってよい。
【００２６】
次に実施例２〜４に共通する紙幣処理部３の構成について説明する。  
紙幣処理部３は、複数の一時保留部（１３〜１６）と複数の回収部（２３〜２４）とを接続する回収搬送路２７、一時保留部（１３〜１６）の紙幣を回収搬送路２７に一枚ずつ繰出す一時保留部の繰出し部（１１３〜１１６）からなる回収移動部を有する。繰出し部は、それぞれの一時保留部１３〜１６の後方に配置されている。また、回収搬送路２７は、搬送部（例えば、搬送ローラ又は搬送ベルト）を有し、搬送部により紙幣を一枚ずつ搬送する。
【００２７】
回収識別部２０は、紙幣の種類（例えば、正損、真偽、金種、方向、搬送状態又は年代）を判定する。紙幣処理部３は、回収識別部２０の判定に基づき、それぞれの種類の紙幣の枚数を計数してもよい。
【００２８】
回収搬送路２７は、一時保留部（１３〜１６）から繰り出され、回収部（２３〜２６）に搬送される紙幣の種類の判別を行う回収識別部２０を経由し、回収識別部により判別された紙幣の種類に基づき、当該紙幣の種類を収納する回収部（２３〜２６）へ紙幣を搬送する。また、回収搬送路２７は、回収識別部２０の前後で、複数の一時保留部から繰り出された紙幣を複数の回収部（２３〜２６）へ搬送する際に共用される共用搬送路であってよい。ここで、紙幣処理部３は、回収識別部１１の判定した紙幣の種類に基づきそれぞれの種類の紙幣の枚数を計数してもよい。
【００２９】
一時保留部（１３〜１６）は、入金識別部で損券と判別された紙幣を収納する損券一時保留部（１３）と正券と判定された紙幣を収納する正券一時保留部（１４〜１６）を含む。回収部（２３〜２６）は、回収搬送路２７により損券一時保留部（１３）から搬送される損券を集積・収納する損券回収カセット２３、正券を収納する一時保留部（１４〜１６）から搬送される紙幣であって、回収識別部２０で異常と判定された紙幣を集積・収納するリジェクト紙幣回収ユニット２４、正券を収納する一時保留部（１４〜１６）から搬送される紙幣であって、回収識別部２０で正常と判定された紙幣を集積・収納し、帯封する紙幣帯封回収ユニット２５・２６を含む。なお、損券一時保留部１３を複数有していてもよい。
【００３０】
また、回収識別部２０により判別された紙幣の種類である方向に基づき搬送される紙幣の天地を揃える天地反転部２１と、表裏を揃える表裏反転部２２とを、回収識別部２０と回収部（２３〜２６）とを接続する回収搬送路上に有する。回収搬送路２７は回収識別部２０の下流かつ天地反転部２１・表裏反転部２２の上流から、直接回収部に紙幣を搬送する経路と、天地反転部２１・表裏反転部２２を経由する経路とに分岐し、回収部（２３〜２６）の上流かつ天地反転部２１・表裏反転部２２の下流で合流する。
【００３１】
紙幣帯封回収ユニット２５、２６は、回収搬送路２７により搬送されてきた紙幣が所定の帯封枚数になるまで集積する保留部２５Ａ、２６Ａ、集積枚数が所定の帯封枚数になった紙幣を帯封する帯封部２５Ｂ、２６Ｂ、帯封部２５Ｂ、２６Ｂにより帯封された紙幣束を収納する収納部２５Ｅ・２６Ｅを有する。
【実施例１】
【００３２】
図２は、紙幣処理装置１の側面図を示す。以下では、上述した共通の構成とは異なる部分を中心に説明する。  
実施例１の紙幣処理部３は、一時保留部１３〜１６に集積された紙幣を一括して紙幣回収カセット１００〜１０３に移動する回収移動部（例えば、集積された紙幣を一括して押圧して移動する押圧板又は紙幣の端面に接触し紙幣を移動させる端面ベルトなど）を有している。  
また、上述の通り、紙幣回収カセット１００〜１０３は紙幣処理部３から着脱可能に構成されている。より詳細には、それぞれの紙幣回収カセット１００〜１０３は、それぞれに対応する一時保留部１３〜１６と、着脱可能に構成されている。また、それぞれの紙幣回収カセット１００〜１０３は、個別に着脱可能に構成されている。【００３３】
続いて、実施例１の動作について述べる。先ず、入金動作について説明する。入金動作では、紙幣処理部３が、入金口部１０の紙幣を一時保留部１３〜１６に搬送し、入金された紙幣の枚数を確定するまでを実施する。【００３４】
より詳細に説明すると、顧客８は入金する紙幣５を入金口部１０にセットする。その後テラー７が端末６を操作することにより、セットされた紙幣５は、繰出部１０により１枚ずつ分離され、入金搬送路１７に繰り出される。繰出された紙幣５は、入金識別部１１により、紙幣の種類（金種・真偽・汚損・搬送状態等）の判定が実施され、紙幣の種類に基づき搬送先が確定される。【００３５】
入金搬送路１７は、入金識別部１１の判定した紙幣の種類に基づき、正常判定された紙幣５を当該種類の紙幣を収納する一時保留部（１３〜１６）に搬送する。搬送先の一時保留部（１３〜１６）は、搬送されてきた紙幣を集積する。また、入金搬送路１７は、入金識別部１１の判定した紙幣の種類に基づき、異常判定された紙幣５を当該種類の紙幣を収納する搬送先である返却口部１２に搬送する。顧客８は、返却口１２に搬送されてきた紙幣を抜き取る。抜き取った紙幣は顧客８が入金口部１０に再セットすることで再計数可能となっている。【００３６】
入金口部１０の紙幣５を全て計数した時点で処理を終了し、端末６に計数結果を報告するとともに計数結果を前述の表示部２に表示する。顧客８は入金金額と計数結果の一致した場合には、図示しない確認キーを押下する事で計数結果を確定する。一致しない場合は一時保留部１３〜１６の紙幣を顧客８に返却する。なお、計数結果には、一時保留部（１３〜１６）又は返却口部１２に収納された紙幣の種類毎の枚数、一時保留部に収納された紙幣の合計金額を含んでよい。【００３７】
ここで、正常判定された紙幣の一時保留部（１３〜１６）への搬送を詳細に説明する。
紙幣処理部３の複数の一時保留部１３〜１６が、同一種類の紙幣を収納する一時保留部（１３〜１６）を複数有する場合、紙幣処理部３は、空の一時保留部の有無を判断し、空の一時保留部がある場合は、当該一時保留部に紙幣を搬送する。空の一時保留部（１３〜１６）がない場合は、回収動作が完了するまで入金動作を停止する。【００３８】
なお、一つの入金取引において、紙幣処理部３は、一つの一時保留部（１３〜１６）の所定量以上の枚数を収納する場合は、他の一時保留部（１３〜１６）へ紙幣を搬送してよい。この場合、一つの一時保留部へ所定量の枚数を収納する毎に、計数結果の確定の受付を実施することで、一つの一時保留部からの回収動作と並行して、次の一時保留部への紙幣の入金動作を実施することが可能となる。すなわち、少ない一時保留部で、回収動作と入金動作の並行処理が可能となる。なお、計数結果の確定の受付を待っている間であっても、次の一時保留部への紙幣の入金動作を継続していてもよい。【００３９】
また、一つの入金取引において、紙幣処理部３は、一つの一時保留部（１３〜１６）の所定量以上の枚数を収納する場合に、一つの一時保留部へ所定量の枚数を収納する毎に、次の一時保留部に紙幣を収納するよう制御し、入金取引で受け付ける全ての紙幣を複数の一時保留部へ収納した後に、または、全ての一時保留部（１３〜１６）が所定量の枚数以上になった時点で、計数結果の確定の受付を実施してもよい。入金取引中に、計数結果の確定の受付回数を減らすことができるので、顧客の負担を減少させることが可能となる。【００４０】
次に一時保留部に収納された紙幣を回収部に移動させる回収動作について説明する。紙幣処理部３が計数結果の確定を受け付けると、回収移動部（１２０〜１２３）は、一時保留部１３〜１６に集積された紙幣を各々一括して紙幣回収カセット１００〜１０３に移動する。回収動作は、前述した計数結果の確定を受け付けた場合に実施してもよい。なお、紙幣処理部３は、回収動作の際に、紙幣回収カセット１００〜１０３の有無を判断し、紙幣回収カセットが無い場合は、外部（例えば、端末６）に警告を通知してもよい。【００４１】
続いて、回収された紙幣を紙幣処理部３から取り出す動作に関し説明する。  
テラー７は、紙幣処理部３の引き出し部により、紙幣回収カセット１００〜１０３を取り出すともに、図示しない伝票発行部により収納された金種・枚数・金額を印字した伝票とともに紙幣を回収する人に引き渡す。伝票には、紙幣処理装置毎に個別の紙幣処理装置識別番号や、回収カセット毎に個別の回収カセット識別番号を含んでもよい。また、伝票の情報を紙幣処理装置１と接続された外部（例えば、紙幣処理装置と接続されたホストサーバ又は、回収カセットの中身を計数する装置）に送信してもよい。【００４２】
また、テラー７は入金業務中に、紙幣回収カセット１００〜１０３の何れかが満杯又は満杯近くになった際は、装置後方から紙幣回収カセット１００〜１０３を抜き取り、空カセットに交換する。この場合でも入金経路と紙幣回収カセット１００〜１０３は独立しているため、入金動作に影響がなく、交換可能である。【００４３】
なお、実施例１では、回収移動部として、押圧板や端面ベルトを記載したが、紙幣を搬送する回収搬送路がそれぞれの一時保留部１３〜１５と一時保留部１３〜１５に対応するそれぞれの回収部１００〜１０３とを１対１で接続する形態としてもよい。この場合一時保留部１３〜１５から回収搬送路への紙幣の繰出しは、実施例２の繰出し部１１３〜１１６と同様の構成であってよい。
【実施例２】
【００４４】
図３は、実施例２の紙幣処理装置の側面図を示す。以下では、上述した共通の構成及び実施例１とは異なる部分を中心に説明する。  
実施例２の入金動作について説明する。入金動作では、紙幣処理部３が、入金口部１０の紙幣を一時保留部に１３〜１６に搬送し、入金された紙幣の枚数を確定するまでを実施する。【００４５】
より詳細に説明すると、顧客８は入金する紙幣５を入金口部１０にセットする。その後テラー７が端末６を操作することにより、セットされた紙幣５は、繰出部１０により１枚ずつ分離され、入金搬送路１７に繰り出される。繰出された紙幣５は、入金識別部１１により、紙幣の種類（金種、真偽、汚損、搬送状態等）の判定が実施され、判定された紙幣の種類に基づき、搬送先が確定される。【００４６】
入金搬送路１７は、入金識別部１１の判定した紙幣の種類に基づき、正常であるが汚損券と判定された損券は、入金搬送路１７を構成する搬送部により一時保留部１３に搬送する。搬送先の一時保留部１３は、搬送されてきた紙幣を集積する。入金搬送路１７は、入金識別部１１の判定した紙幣の種類に基づき、正常であり、汚損券ではないと判定された正券は、入金搬送路１７により一時保留部１４〜１６に搬送する。搬送先の一時保留部１４〜１６は、搬送されてきた紙幣を集積する。また、入金搬送路１７は、入金識別部１１の判定した紙幣の種類に基づき、入金識別部１１により、異常判定された紙幣５を当該種類の紙幣を収納する搬送先である返却口部１２に搬送する。顧客８は、返却口１２に搬送されてきた紙幣を抜き取る。抜き取った紙幣は顧客８が入金口部１０に再セットすることで再計数可能となっている。入金口部１０の紙幣５を全て計数した時点で処理を終了し、端末６に計数結果を報告するとともに計数結果を前述の表示部２に表示する。【００４７】
顧客８は入金金額と計数結果とが一致した場合には、図示しない確認キーを押下する事で確認する。一致しない場合は一時保留部１３〜１６の紙幣を顧客８に返却する。なお、計数結果には、一時保留部１３〜１６又は返却口部１２に収納された紙幣の種類毎の枚数、一時保留部に収納された紙幣の合計金額を含んでよい。【００４８】
ここで、正常判定された正券の紙幣の一時保留部１４〜１６への搬送を詳細に説明する。【００４９】
紙幣処理部３の複数の一時保留部１４〜１６が、同一種類の紙幣を収納する一時保留部１４〜１６を複数有する場合、紙幣処理部３は、空の一時保留部の有無を判断し、空の一時保留部がある場合は、当該一時保留部に紙幣を搬送する。空の一時保留部１４〜１６がない場合は、回収動作が完了するまで入金動作を停止する。【００５０】
また、一つの入金取引において、紙幣処理部３は、一つの一時保留部１４〜１６の所定量以上の枚数を収納する場合は、他の一時保留部１４〜１６へ紙幣を搬送してよい。この場合、一つの一時保留部へ所定量の枚数を収納する毎に、計数結果の確定の受付を実施することで、一つの一時保留部からの回収動作と並行して、次の一時保留部への紙幣の入金動作を実施することが可能となる。すなわち、少ない一時保留部で、回収動作と入金動作の並行処理が可能となる。なお、計数結果の確定の受付を待っている間であっても、次の一時保留部への紙幣の入金動作を継続していてもよい。損券を収納する一時保留部１３を複数備え、同様の制御を実施してもよい。【００５１】
また、一つの入金取引において、紙幣処理部３は、一つの一時保留部１４〜１６の所定量以上の枚数を収納する場合に、一つの一時保留部へ所定量の枚数を収納する毎に、次の一時保留部に紙幣を収納するよう制御し、入金取引で受け付ける全ての紙幣を複数の一時保留部へ収納した後に、または、全ての一時保留部１４〜１６が所定量の枚数以上になった時点で、計数結果の確定の受付を実施してもよい。入金取引中に、計数結果の確定の受付回数を減らすことができるので、顧客の負担を減少させることが可能となる。【００５２】
次に回収動作について説明する。紙幣処理部３は、確認キーの押下を検知すると、損券一時保留部１３内の紙幣５を繰出し部１１３により１枚ずつに分離し回収搬送路２７に繰出す。回収搬送路２７は、繰出された紙幣を、回収識別部２０により金種・枚数等を判別し、天地反転部２１・表裏反転部２２を迂回する経路にて、損券回収カセット２３に搬送する。損券回収カセット２３は、回収搬送路２７により搬送された紙幣を集積・収納する。【００５３】
続いて、紙幣処理部３は、一時保留部１４に収納される紙幣５を繰出し部１１４により１枚ずつに分離し回収搬送路２７に繰出す。回収搬送路２７は、回収識別部２０へ紙幣を搬送する。回収識別部２０は、回収搬送路２７により搬送された紙幣の種類を判別する。回収搬送路２７は、判別された紙幣の種類（例えば、金種、枚数、方向、搬送状態）に基づいて、当該種類の紙幣を収納するリジェクト紙幣回収ユニット２４又は紙幣帯封回収ユニット２５、２６に紙幣を搬送する。リジェクト紙幣回収ユニット２４又は紙幣帯封回収ユニット２５、２６は、回収搬送路２７により搬送された紙幣を収納する。なお、回収搬送路２７は、回収識別部２０により紙幣の種類を判別された後に、天地反転部２１・表裏反転部２２を経由して、天地反転部２１・表裏反転部２２により紙幣の方向を揃え、リジェクト紙幣回収ユニット２４、又は紙幣帯封回収ユニット２５、２６に搬送する。この際、紙幣処理部３は、回収識別部２０の判別した紙幣の種別に基づき、紙幣の方向を変更する必要がないと判断した場合は、天地反転部２１・表裏反転部２２を迂回する経路でリジェクト紙幣回収ユニット２４、又は紙幣帯封回収ユニット２５・２６に収納してもよい。【００５４】
紙幣処理部３は、損券一時保留部１３及び一時保留部１４が空になったことを検知した場合、次の取引を受付可能としてよい。【００５５】
続いて、回収識別部２０で異常と判断され、リジェクト紙幣回収ユニット２４に収納される紙幣の具体例を示す。回収識別部２０で重送（複数枚が重なって搬送された状態）、斜行（紙幣が著しく傾いて搬送された状態）、間隔異常（紙幣と紙幣の隙間が著しく短い状態）等の搬送異常と判定された紙幣と帯封対象外の金種の紙幣はリジェクト紙幣回収ユニット２４に集積・収納する。次に、回収識別部２０で正常と判断され、紙幣帯封回収ユニット２５・２６に収納される紙幣の具体例を示す。回収識別部２０により、紙幣処理部３で、取り扱う金種で最大流通量である金種Ａでかつ、異常ではない紙幣は紙幣帯封回収ユニット２５に集積、収納し、紙幣処理部３で取り扱う金種で２番目に多い流通量である金種Ｂでかつ、異常ではない紙幣を紙幣帯封回収ユニット２６に集積・収納するように制御してもよい。【００５６】
紙幣処理部３は、回収部に回収する紙幣の種類は、外部からの入力又は一時保留部に収納される紙幣の種類に基づき、変更可能であってよい。例えば、ある一時保留部に２金種混合で紙幣を保管している場合は、紙幣帯封回収ユニット２５・２６はそれぞれ別の金種紙幣を保管するように設定し、ある一時保留部に１金種の紙幣を保管している場合は、紙幣帯封回収ユニット２５・２６はいずれも当該金種を収納するように設定すればよい。また、紙幣帯封回収ユニット２５・２６を３つ以上有する場合は、１つに１金種を保管し、２つに他の１金種を収納するように設定してもよい。複数の紙幣帯封回収ユニットに同一種類の紙幣を保管することで、空いている回収部を有効に利用することが可能となり、回収動作の効率を向上することが可能となる。【００５７】
次に、紙幣帯封回収ユニット２５、２６での紙幣の帯封動作について説明する。  
紙幣処理部３は、回収搬送路２７により搬送されてきた紙幣５は紙幣帯封回収ユニット２５、２６の保留部２５Ａ、２６Ａに集積する。紙幣処理部３は、集積枚数が所定の帯封枚数（例えば、１００枚）になると、繰出し部１１３〜１１６及び回収搬送路２７による回収動作を一時停止し、紙幣帯封回収ユニット２５、２６の保留部２５Ａ、２６Ａの紙幣を図示しない方法で、それぞれ帯封部２５Ｂ、２６Ｂへ移動する。紙幣処理部３は、帯封部２５Ｂ、２６Ｂへ紙幣束を移動させたことを検知した場合、繰出し部１１３〜１１６及び回収搬送路２７による回収動作を再開させる。また紙幣処理部３は、移動させた帯封部２５Ｂ、２６Ｂの紙幣の帯封処理を行った後に夫々の収納部２５Ｅ・２６Ｅに移動、収納する。【００５８】
なお、紙幣帯封回収ユニット２５の保留部２５Ａに１００枚集積した段階で、紙幣Ａの搬送先を紙幣帯封回収ユニット２６に切り替え、紙幣帯封回収ユニット２６に１００枚の紙幣を集積する間に紙幣帯封回収ユニット２５の保留部２５Ａの紙幣を帯封部２５Ｂに移動させることによって、紙幣帯封回収ユニット２５は次の紙幣を集積することが出来るようになる。この動作は紙幣帯封回収ユニット２５と紙幣帯封回収ユニット２６が逆になっても同様である。このように動作することで、回収動作における紙幣の搬送を一時停止することなく、継続して実施することが可能となる。【００５９】
続いて、一時保留部１５、１６の紙幣も、一時保留部１４と同様に処理を行う。  
このような入金処理を繰り返すが、テラー７は入金業務中に、損券回収カセット２３が満杯又は満杯近くになった際は、装置後方から損券回収カセット２３を抜き取り、空カセットに交換し、リジェクト紙幣回収ユニット２４が満杯又は満杯近くになった際は、リジェクト紙幣を抜き取り、紙幣帯封回収ユニット２５・２６の収納部２５Ｅ・２６Ｅが満杯又は満杯近くになった際は、帯封紙幣を抜き取り保管する。紙幣処理部３は、センサにより、上述の損券回収カセット２３、リジェクト紙幣回収ユニット２４、紙幣帯封回収ユニット２５・２６の収納部２５Ｅ・２６Ｅの所定量（満杯又は満杯近く）を検知した場合に、端末６に所定量になったこと示す情報を通知してもよい。またこの際、どの回収部が所定量になったかが分かるように当該情報を通知してもよい。【００６０】
回収部で所定量を検知した場合でも、入金経路と回収経路が分離しているため、紙幣処理部３は、回収動作を中断するが、入金動作を継続して実施することが可能となる。【００６１】
次に整理計数動作について説明する。整理計数動作とは、上述した回収動作においてリジェクト紙幣回収ユニット２４に収納した搬送異常と判定された紙幣及び帯封対象外の金種の紙幣を再度計数して帯封する動作である。紙幣処理部３は、端末６から上述の入金及び回収を行う入金・回収モード又は整理計数を行う整理計数モードの選択を受け付けてもよい。紙幣処理装置３は、端末６が整理計数モードを受け付けた場合、整理計数動作を行う。【００６２】
例えば、帯封対象外の金種を５金種とし、夫々金種Ｃ〜Ｇ（入金取引における帯封対象金種Ａ・Ｂと合わせて全７金種）として以下具体的に説明する。  
テラー７は装置から取り出したリジェクト紙幣回収ユニット２４に収納した搬送異常と判定された紙幣と帯封対象外の金種の紙幣を入金口部１０にセットする。その後テラー７が端末６を操作することにより、セットされた紙幣は、繰出部１０により１枚ずつ分離され、入金搬送路１７に繰り出される。入金搬送路１７は、繰り出された紙幣５を入金識別部１１に搬送する。入金識別部１１は、入金搬送路１７により搬送される紙幣の種類（例えば、金種・搬送状態）を判別する。入金搬送路１７は、入金識別部１１が判別した紙幣の種類に基づき、当該紙幣を収納する一時保留部１３〜１６に紙幣を搬送する。【００６３】
紙幣処理部３は、例えば、入金識別部１１により、正常と判定された金種Ａ、Ｂを損券一時保留部１３（損券ではない）に集積し、正常と判定された金種Ｃ、Ｄを一時保留部１４に集積し、正常と判定された金種Ｅ、Ｆは一時保留部1５に集積し、正常と判定された金種Ｇは一時保留部1６に集積し、異常判定された紙幣５は、返却口部１２に集積する。返却口部１２に集積された紙幣は、テラー７により抜き取られる。テラー７が抜き取った紙幣は入金口部１０に再セットすることで再計数可能となっている。【００６４】
次に、紙幣処理部３は、損券一時保留部１３内の金種Ａ、Ｂの紙幣５を繰出し部１１３により１枚ずつに分離し回収搬送路に繰出す。回収搬送路２７は、繰出し部１１３により繰出された紙幣を回収識別部２０に搬送する。回収識別部２０は、回収搬送路２７により搬送された紙幣の種類（たとえば、金種、方向、搬送状態など）を判別する。回収搬送路２７は、回収識別部２０により判別された紙幣の種類に基づき、天地反転部２１、表裏反転部２２により紙幣の方向を揃えて、当該紙幣の種類を収納するリジェクト紙幣回収ユニット２４又は紙幣帯封回収ユニット２５、２６に紙幣を搬送する。リジェクト紙幣回収ユニット２４又は紙幣帯封回収ユニット２５、２６は回収搬送路２７により搬送された紙幣を収納する。【００６５】
整理計数動作において、リジェクト紙幣回収ユニット２４又は紙幣帯封回収ユニット２５、２６に収納される紙幣の一例を示す。例えば、リジェクト紙幣回収ユニット２４は、回収識別部２０で重送（複数枚が重なって搬送された状態）、斜行（紙幣が著しく傾いて搬送された状態）、間隔異常（紙幣と紙幣の隙間が著しく短い状態）等の搬送異常と判定された紙幣を集積・収納する。紙幣帯封回収ユニット２５は、金種Ａでかつ、搬送異常ではない紙幣を集積、収納する。紙幣帯封回収ユニット２６は、金種Ｂでかつ、搬送異常ではない紙幣を紙幣帯封回収ユニット２６に集積、収納する。【００６６】
紙幣帯封回収ユニット２５・２６へ搬送された金種Ａ、Ｂの紙幣は、回収動作の場合と同様にして紙幣の帯封処理を行った後に夫々の収納部２５Ｅ・２６Ｅに移動、収納する。【００６７】
続いて、一時保留部１４に集積されている紙幣Ｃ、Ｄも同様に処理を行う。紙幣処理部３は、回収識別部２０が搬送異常と判定した紙幣をリジェクト紙幣回収ユニット２４へ、搬送異常ではないかつ金種Ｃと判定した紙幣を紙幣帯封回収ユニット２５へ、搬送異常ではないかつ金種Ｄと判定した紙幣は紙幣帯封回収ユニット２６に搬送し、集積、帯封、収納する。また、一時保留部１５に集積されている紙幣Ｅ、Ｆも同様に処理を行う。紙幣処理部３は、回収識別部２０が搬送異常と判定した紙幣をリジェクト紙幣回収ユニット２４へ、搬送異常ではないかつ金種Ｅと判定した紙幣を紙幣帯封回収ユニット２５へ、搬送異常ではないかつ金種Ｆと判定した紙幣を紙幣帯封回収ユニット２６に搬送し、集積、帯封、収納する。また、一時保留部１６に集積されている紙幣Ｇも同様に処理を行う。紙幣処理部３は、回収識別部２０が搬送異常と判定した紙幣をリジェクト紙幣回収ユニット２４へ、搬送異常ではないと判定した紙幣は紙幣帯封回収ユニット２５へ搬送し、集積、帯封、収納する。以上のように動作することにより、多くの種類の紙幣（例えば、７種類）の紙幣を帯封することが可能になる。
【実施例３】
【００６８】
図４は、実施例３の紙幣処理装置の側面図を示す。以下では上述の説明と異なる部分を中心に説明する。【００６９】
実施例３の紙幣処理部３は実施例２（図４）の構成に、入金搬送路１７の入金識別部１１の下流かつ一時保留部の上流から分岐して、回収識別部２０の下流の回収搬送路２７へ直接（一時保留部を介さず）接続されるバイパス搬送路１８を備えている。以下に、実施例３の動作について述べる。【００７０】
実施例３の入金動作及び回収動作は、実施例２と同じであるので、説明を省略し、実施例２とは異なる部分のある整理計数動作についてのみ説明する。整理計数動作とは、実施例２と同様回収動作においてリジェクト紙幣回収ユニット２４に収納した搬送異常と判定された紙幣及び帯封対象外の金種の紙幣を再度計数して帯封する動作である。【００７１】
実施例２と同様に、帯封対象外の金種を５金種とし、夫々金種Ｃ〜Ｇ（入金取引における帯封対象金種Ａ・Ｂと合わせて全７金種）として以下具体的に説明する。【００７２】
テラー７は、リジェクト紙幣回収ユニット２４に収納した搬送異常と判定された紙幣と帯封対象外の金種の紙幣を装置から取り出し、入金口部１０にセットする。その後、テラー７が端末６を操作することにより、セットされた紙幣は、繰出部１０により１枚ずつ分離され、入金搬送路１７に繰り出される。入金搬送路１７は、繰り出された紙幣５を入金識別部１１に搬送する。入金識別部１１は、入金搬送路１７により搬送される紙幣の種類（例えば、金種・搬送状態など）を判別する。入金搬送路１７は、入金識別部１１が判別した紙幣の種類に基づき、当該紙幣を収納する一時保留部１３〜１６又は回収部に紙幣を搬送する。【００７３】
入金搬送路１７は、例えば、入金識別部１１により正常と判定された金種Ａをバイパス搬送路１８に搬送する。そして、バイパス搬送路１８は、入金搬送路１７により搬送されてきた紙幣を直接（一時保留部１３〜１６を経由することなく）回収搬送路２７に搬送する。回収搬送路２７は、天地反転部２１・表裏反転部２２を経由して紙幣の方向を揃えて、紙幣帯封回収ユニット２５・２６へ搬送する。紙幣帯封回収ユニット２５、２６は、回収搬送路２７により搬送されてきた紙幣を、実施例２の帯封動作と同様に、集積、帯封、収納する。一方、紙幣処理部３は、入金識別部１１により、正常と判定された金種Ｂは一時保留部１３に集積し、正常と判定された金種Ｃは一時保留部１４に集積し、正常と判定された金種Ｄ・Ｅは一時保留部１５に集積し、正常と判定された金種Ｆ・Ｇは一時保留部１６に集積する。また、紙幣処理部３は、入金識別部１１により、異常判定された紙幣５を、返却口部１２に搬送する。返却口部１２に搬送された紙幣は、テラー７が抜き取る。テラー７に抜き取られた紙幣は、テラー７が入金口部１０に再セットすることで再計数可能となっている。【００７４】
続いて、紙幣処理部３は損券一時保留部１３に集積されている金種Ｂの紙幣５を繰出し部１１３により１枚ずつに分離し回収搬送路２７に繰出す。回収搬送路２７は、繰出された紙幣を回収識別部２０に搬送する。回収識別部２０は、回収搬送路２７により搬送される紙幣の種類（金種、方向、搬送状態など）を判別する。回収搬送路２７は、回収識別部２０により、搬送異常券と判別された紙幣はリジェクト紙幣回収ユニット２４に搬送し、正常券金種Ｂと判別された紙幣は、紙幣帯封回収ユニット２５・２６へ搬送する。紙幣回収ユニット２４は、金種Ａと同様に回収搬送路２７により搬送された紙幣を収納する。また、紙幣帯封回収ユニット２５、２６は、金種Ａと同様に回収搬送路２７により搬送された紙幣を収納し、帯封動作を行う。続いて、一時保留部１４内の金種Ｃも金種Ｂと同様の処理を行う。【００７５】
また、一時保留部１５内の金種Ｄ、Ｅ、一時保留部１６内の金種Ｆ、Ｇの紙幣についても同様に処理を行い帯封するが、一時保留部１５内の金種Ｄ、Ｅ、一時保留部１６内の金種Ｆ、Ｇの紙幣についての正常券の搬送先はそれぞれ紙幣帯封回収ユニット２５、２６である。この場合、紙幣帯封回収ユニット２５、２６は各金種専用になるため、紙幣処理部３は、保留部２５Ａ、２６Ａに収納された紙幣を、帯封部２５Ｂ、２６Ｂに移動させている間、回収動作を一時的に停止することとなる。【００７６】
以上の動作することにより、実施例全ての金種の紙幣を帯封することが可能になるが、実施例２に比べ、金種Ａは一時保留部を経由しないため処理時間が短縮できる。又、金種Ｂ、Ｃについては帯封時に搬送を一時停止する必要がなく更に処理時間の短縮が可能となる。
【実施例４】
【００７７】
図５は、実施例４の紙幣処理装置の側面図の一例を示す。以下では上述の説明と異なる部分を中心に説明する。  
実施例４の紙幣処理部３、は実施例３（図４）の紙幣処理部３に、回収接続搬送路２８及び金種別に紙幣を収納する金種別スタッカ部４１〜４７を追加している。回収接続搬送路２８は、回収搬送路２７と、金種別スタッカ部４１〜４７を接続する双方向の搬送路であって、回収搬送路２７の回収識別部２０及び回収部の下流の分岐部Ｂ１と、回収搬送路２７の回収識別部２０及び一時保留部の上流の分岐部Ｂ２と、にそれぞれ接続されている。図６Ａに示すように、回収接続搬送路２８は、上述の下流の分岐部Ｂ１を経由して回収搬送路２７により搬送されてきた紙幣を、回収識別部２０が判別した紙幣の種類に基づき、当該種類の紙幣を収納する金種別スタッカ部４１〜４７に当該紙幣を搬送する。【００７８】
また、図６Ｂに示すように、回収接続搬送路２８は、金種別スタッカ部４１〜４７から繰り出された紙幣を、上述の上流の分岐部Ｂ２を経由して回収搬送路２７に搬送する。金種別スタッカ部４１〜４７は、回収接続搬送路２８により搬送される紙幣を一時的に収納し、回収接続搬送路２８に繰出しすることができる。金種別スタッカ部４１〜４７は帯封枚数以上の紙幣を収納する容量を有している。【００７９】
続いて、実施例４の動作について説明する。入金動作は実施例２と同じであるので、説明を省略し、実施例２とは異なる部分のある回収動作について説明する。  
紙幣処理部３は、確認キーの押下を検知すると、損券一時保留部１３内の紙幣５を繰出し部１１３により１枚ずつに分離し回収搬送路２７に繰出す。回収搬送路２７は、繰出された紙幣を、回収識別部２０により金種・枚数等を判別し、天地反転部２１・表裏反転部２２を迂回する経路にて、損券回収カセット２３に搬送する。損券回収カセット２３は、回収搬送路２７により搬送された紙幣を集積・収納する。【００８０】
続いて、一時保留部１４内の紙幣５を繰出し部１１４により１枚ずつに分離し回収搬送路２７に繰出す。紙幣処理部３は、回収接続搬送路２８の分岐部Ｂ１を図６Ａに示した金種別スタッカ部４１〜４７への搬送方向に切り替える。繰出された紙幣は回収識別部２０を通り、金種・枚数・方向・搬送状態を判別し、天地反転部２１・表裏反転部２２を経由して紙幣の方向を揃えて、搬送異常券は損券回収カセット２３へ搬送・収納し、正常券は回収接続搬送路２８を経由して紙幣５の金種に対応した金種別スタッカ部４１〜４７に集積・収納する。【００８１】
続いて、紙幣処理部３は、一時保留部１４に収納される紙幣５を繰出し部１１４により１枚ずつに分離し回収搬送路２７に繰出す。回収搬送路２７は、回収識別部２０へ紙幣を搬送する。回収識別部２０は、回収搬送路２７により搬送された紙幣の種類を判別する。回収搬送路２７又は回収接続搬送路２８は、判別された紙幣の種類（例えば、金種、枚数、方向、搬送状態など）に基づいて、当該種類の紙幣を収納するリジェクト紙幣回収ユニット２４又は金種別スタッカ部４１〜４７に紙幣を搬送する。リジェクト紙幣回収ユニット２４又は金種別スタッカ部４１〜４７は、回収搬送路２７又は回収接続搬送路２８、により搬送された紙幣を収納する。ここで、紙幣処理部３は、回収識別部２０が搬送異常券と判別した紙幣を、回収搬送路２７によりリジェクト紙幣回収ユニット２４に搬送し、回収識別部２０が正常券と判別した紙幣を、回収搬送路２７及び回収接続搬送路２８により、当該種類の紙幣を収納する金種別スタッカ部４１〜４７に搬送する。紙幣処理部３は、リジェクト紙幣回収ユニット２４に紙幣を搬送するときは回収接続搬送路２８の分岐部Ｂ１を紙幣回収ユニット２４に切り替え、金種別スタッカ部４１〜４７に搬送するときには回収接続搬送路２８の分岐部Ｂ１を金種別スタッカ部４１〜４７への搬送方向に切り替える。【００８２】
紙幣処理部３は、金種別スタッカ部４１〜４７のいずれかの所定量の枚数（例えば、満杯、ニアフル）を検出する検出部（例えば光学センサ）を金種別スタッカ部４１〜４７それぞれに有しており、所定量の枚数又はそれ以上を検知した場合に、当該金種の搬送先を金種別スタッカ部４１〜４７から紙幣帯封回収ユニット２５、２６のいずれかに切り替える。紙幣処理部３は、紙幣帯封回収ユニット２５、２６のいずれか一方が、他金種の処理中の場合又は保留部２５Ａ、２６Ａから帯封部２５Ｂ、２６Ｂへの紙幣移動中の場合は、他方へ紙幣の搬送を行ってよい。紙幣処理部３は、紙幣帯封回収ユニット２５、２６の両方が、他金種の処理中又は保留部２５Ａ、２６Ａから帯封部２５Ｂ、２６Ｂへの紙幣移動中の場合は、一時保留部１４から紙幣帯封回収ユニット２５、２６への紙幣の搬送を一時的に停止してもよい。【００８３】
紙幣帯封回収ユニット２５、２６の紙幣帯封動作は実施例２とほぼ同様であるが、一時保留部１４から紙幣帯封回収ユニット２５、２６へ紙幣を搬送すると、紙幣帯封回収ユニット２５、２６の保留部２５Ａ、２６Ａの紙幣枚数が帯封枚数１００枚に満たない場合がある。この場合、紙幣処理部３は、回収接続搬送路２８の分岐部Ｂ２を図６Ｂに示した金種別スタッカ部４１〜４７からの繰出方向に切り替え、当該種類の紙幣を収納している金種別スタッカ部４１〜４７のいずれかから、帯封に不足する枚数を繰出し、回収接続搬送路２８、回収搬送路２７及び回収識別部２０を経由して紙幣帯封回収ユニット２５、２６に補充して帯封を完了させてもよい。【００８４】
また、紙幣処理部３は、金種別スタッカ部４１〜４７の収納枚数が帯封枚数の所定量の枚数（例えば、１００枚）を超過している場合には、回収接続搬送路２８の分岐部Ｂ１を紙幣帯封回収ユニット２５、２６の方向に切り替えるとともに、回収接続搬送路２８の分岐部Ｂ２を図６Ｂに示した金種別スタッカ部４１〜４７からの繰出方向に切り替える。そして、紙幣処理部３は、同様に紙幣帯封回収ユニット２５、２６で処理している種類の紙幣を収納する金種別スタッカ部４１〜４７から、帯封枚数を繰出し、回収接続搬送路２８、回収搬送路２７及び回収識別部２０を経由して紙幣帯封回収ユニット２５、２６に補充して帯封を完了させる。こうして、紙幣帯封回収ユニット２５、２６の保留部２５Ａ、２６Ａが空になり且つ、金種別スタッカ部４１〜４７の各収納枚数が帯封枚数に満たない状態になった場合に、紙幣処理部３は、一時保留部１４内の紙幣５を回収搬送路２７により搬送を再開し、一時保留部１４が空になるまで回収動作を行う。続いて、一時保留部１５、一時保留部１６の紙幣も一時保留部１４と同様に処理を行う。【００８５】
次に整理計数動作について説明する。本実施例でも実施例３と同様入金紙幣の金種をＡ〜Ｇの７金種として説明する。  
テラー７は上記７金種の紙幣を入金口部１０にセットする。その後テラー７が端末６を操作することにより、セットされた紙幣５は、繰出部１０により１枚ずつ分離され、入金搬送路１７に繰り出される。入金搬送路１７は、繰り出された紙幣５を入金識別部１１に搬送する。入金識別部１１は、入金搬送路１７により搬送される紙幣の種類（例えば、金種・搬送状態）を判別する。入金搬送路１７は、入金識別部１１が判別した紙幣の種類に基づき、当該紙幣を収納する一時保留部１３〜１６に紙幣を搬送する。【００８６】
入金搬送路１７は、例えば、入金識別部１１により正常と判定された金種Ａ〜Ｇの紙幣を回収搬送路２７に搬送する。紙幣処理部３は、回収接続搬送路２８の分岐部Ｂ１を図６Ａに示した金種別スタッカ部４１〜４７への搬送方向に切り替える。回収搬送路２７は、天地反転部２１・表裏反転部２２を経由して紙幣の方向を揃えて、搬送方向が切り替えられた回収接続搬送路２８を経由して紙幣５の金種に対応した金種別スタッカ部４１〜４７に集積・収納しておく。【００８７】
テラー７は装置から取り出したリジェクト紙幣回収ユニット２４に収納した搬送異常と判定された紙幣と帯封対象外の金種の紙幣を入金口部１０にセットする。その後、テラー７が端末６を操作すると、セットされた紙幣５が繰出部１０により１枚ずつ分離され、入金搬送路１７が繰り出された紙幣５を入金識別部１１に搬送する。入金識別部１１は、入金搬送路１７により搬送される紙幣の種類（例えば、金種・搬送状態）を判別する。入金搬送路１７は、入金識別部１１が判別した紙幣の種類に基づき、当該紙幣を収納する一時保留部１３〜１６又は回収部に紙幣を搬送する。【００８８】
入金搬送路１７は、実施例３と同様に、例えば、入金識別部１１により正常と判定された金種Ａ〜Ｇの紙幣を一時保留部１３〜１６を経由して回収搬送路２７に搬送する。紙幣処理部３は、回収接続搬送路２８の分岐部Ｂ１を紙幣帯封回収ユニット２５・２６への搬送方向に切り替える。回収搬送路２７は、天地反転部２１・表裏反転部２２を経由して紙幣の方向を揃えて、紙幣帯封回収ユニット２５・２６へ搬送する。紙幣帯封回収ユニット２５、２６は、回収搬送路２７により搬送されてきた紙幣を、実施例２の帯封動作と同様に、集積、帯封、収納する。また、紙幣処理部３は、実施例３と同様に、入金識別部１１により異常判定された紙幣５を返却口部１２に搬送し、その紙幣をテラー７が抜き取る。テラー７に抜き取られた紙幣は、テラー７が入金口部１０に再セットすることで再計数可能である。【００８９】
紙幣処理部３は、金種別スタッカ部４１〜４７のいずれかの所定量の枚数（例えば、満杯、ニアフル）を検出する検出部（例えば光学センサ）を金種別スタッカ部４１〜４７それぞれに有しており、所定量の枚数に満たない枚数を検知した場合、回収接続搬送路２８の分岐部Ｂ２を図６Ｂに示した金種別スタッカ部４１〜４７からの繰出方向に切り替える。紙幣処理部３は、当該金種の搬送先を紙幣帯封回収ユニット２５、２６から金種別スタッカ部４１〜４７に切り替え、所定量の枚数を満たすまで、金種別スタッカ部４１〜４７に集積された紙幣を１枚ずつ繰出し、帯封動作を完了させる。紙幣処理部３は、紙幣帯封回収ユニット２５、２６のいずれか一方が、他金種の処理中の場合又は保留部２５Ａ、２６Ａから帯封部２５Ｂ、２６Ｂへの紙幣移動中の場合は、他方へ紙幣の搬送を行ってよい。紙幣処理部３は、紙幣帯封回収ユニット２５、２６の両方が、他金種の処理中又は保留部２５Ａ、２６Ａから帯封部２５Ｂ、２６Ｂへの紙幣移動中の場合は、一時保留部１４から紙幣帯封回収ユニット２５、２６への紙幣の搬送を一時的に停止してもよい。紙幣帯封回収ユニット２５、２６の紙幣帯封動作は回収動作の場合と同様である。また、金種別スタッカ部４１〜４７の収納枚数が帯封枚数の所定量の枚数（例えば、１００枚）を超過している場合については、回収動作と同様に処理することができる。【００９０】
このように動作することにより、回収動作において金種別スタッカ部４１〜４７の数の金種を帯封することが可能になり、実施例２・３のように紙幣帯封回収ユニットの数に制限されることがなくなり、その結果、回収動作における帯封対象外の紙幣をリジェクト紙幣回収ユニット２４に収納、その後の整理計数動作をすることを無くせるため、処理時間の短縮が図れる。【００９１】
又、本実施例では取り扱う金種数を７金種、金種別スタッカ部の数も７金種と同じにしたため、１回の収納動作で全金種の帯封を可能としたが、例えば、取り扱う金種数を７金種、金種別スタッカ部の数を４個とした場合は、整理計数動作では直接は４金種しか帯封できないことになる。このような場合は、帯封対象外の金種（つまり金種別スタッカ部で設定されない金種）の紙幣は一時保留部１３〜１６に分配して、実施例２・３に示す方法と同様な動作で処理することが可能で、この場合でも回収動作で帯封可能な金種が増えることにより、全体の処理時間の短縮が可能になる。【００９２】
本発明は、上記実施形態に限るものではなく、以下の構成であってもよい。  
一時保留部（１００〜１０３、２３〜２６）、回収部（１３〜１６）の種類、数は上記実施形態に限るものではない。例えば、損券一時保留部、損券回収部、リジェクト回収部がない装置、損券一時保留部、損券回収部、リジェクト回収部がそれぞれ複数ある装置、あるいは、上記実施形態とは異なる場所に設置したものでもよい。あるいは、紙幣帯封回収ユニット（２５、２６）の数が上記実施形態とは異なる数、異なる場所であってもよい。また、紙幣帯封回収ユニット（２５、２６）に代わって、又は加えて、正券を回収する回収カセットを有してもよい。【００９３】
損券一時保留部、損券回収部、リジェクト回収部がない装置の場合、例えば、入金識別部１１の判別の結果に基づき、損券と判別された紙幣を返却口部１２に返却してもよい。また、ある種類の紙幣を収納する一時保留部がない（設定されていない）場合、紙幣を返却口部１２に返却してもよい。【００９４】
また、一時保留部１３〜１６は、混合して複数種類の紙幣を収納してもよい。実施形態２〜４の場合、紙幣処理部３は、回収識別部２０が判断した紙幣の種類に基づき、搬送先の回収部を決定し、当該搬送先に紙幣を搬送してもよい。【００９５】
紙幣の種類としては、正損、真偽、金種、紙幣の方向、紙幣の状態、紙幣の世代が含まれてもよい。紙幣処理部３にて取り扱う紙幣の種類の数に応じて、紙幣処理部３の一時保留部（１００〜１０３、２３〜２６）、回収部（１３〜１６）の数及び種類を決定すればよい。紙幣処理部３は、外部からの受け付けた情報に基づき、一時保留部（１００〜１０３、２３〜２６）、回収部（１３〜１６）のそれぞれに収納する紙幣の種類を決定してもよい。【００９６】
例えば、複数種類の紙幣を混合して収納する、同一金種を収納する、紙幣の方向が一致する紙幣を収納する、世代の一致する紙幣を収納する又は損券を収納するなどの設定をすることが可能であってよい。【００９７】
紙幣処理部３は、表裏反転部又は天地揃え部を備えない構成であってもよい。また、紙幣帯封回収ユニットは、テラーが直接紙幣に接触できる構成であれば、帯封をせずに単に紙幣を集積するだけでもよい。コストを抑制することが可能となる。【００９８】
また、紙幣処理部３は、回収部が、紙幣を横方向に又は紙幣を立位状態で集積する横型タイプであるため、回収部から紙幣をそれぞれ個別に、紙幣処理部３の後方から取り出し可能としている。【００９９】
また、紙幣処理部３は、センサにより、回収部に集積された紙幣の収納枚数（収納量）を検知し、所定量以上（例えば、満杯又は満杯近くの状態）になっている回収部を、端末６に通知する。これにより、テラー７は、紙幣を外部に取り出すべき回収部を容易に判断することが可能となる。また、紙幣処理部３の端末６は、テラー７が紙幣を外部へ取り出そうとする回収部を示す情報の入力を受け付けてもよい。紙幣処理部３は、端末６から入力を受け付けた回収部の回収動作を実施することを禁止してもよい。【０１００】
また、紙幣処理部３は、紙幣回収カセット１００〜１０３のそれぞれに取り出しを制限（禁止）するロック機構がある場合、所定量以上（例えば、満杯又は満杯近くの状態）になっている紙幣回収カセット１００〜１０３のみ、又は端末６から入力を受け付けた紙幣回収カセット１００〜１０３のみロック機構を解除してもよい。  
上記実施形態に示したとおり、本願発明は少なくとも以下のいずれかの特徴を有する。【０１０１】
（１）紙幣処理部の前方に外部から紙幣を受け付ける入金口部と、入金口部の受け付けた紙幣を一枚ずつ搬送する入金搬送部と、入金搬送部により搬送される紙幣の種類（金種、方向、世代、正損、搬送の状態又は真偽など）を判別する判別部と、判別部による判別の結果に基づき、一時的に同一種類の紙幣を収納する複数の一時保留部と、それぞれが個別に紙幣処理部の外部への紙幣の取り出しを可能とする複数の回収部（１００〜１０３、２３〜２６）と、複数の一時保留部に収納された紙幣を複数の回収部に移動する回収移動部とを有してよい。【０１０２】
当該構成を有することで、入金動作、回収動作、回収部からの紙幣の移動を継続して実施することが可能となる。より詳細には、第一の取引の回収部からの紙幣の移動中に、第二の取引の回収動作を並行して実施できると共に、第二の取引の回収動作中に、第三の取引の入金動作も並行して実施することが可能となる。すなわち装置の稼働効率向上が可能となる。【０１０３】
また、回収移動部が、複数の回収部と複数の一時保留部とを接続する搬送部である場合、回収部又は一時保留部の数を任意に調整することが可能となる。【０１０４】
また、回収部の一部を、紙幣を立位状態で横方向に集積する回収カセットとすることで、紙幣処理部の後方からそれぞれの回収カセットを個別に取り出し可能としてもよい。この場合、縦型収納庫の場合に比較し、紙幣処理装置を横方向に複数設置又は横方向に制限（障害物）がある場合であっても、紙幣処理部の稼働効率を向上可能となる。【０１０５】
（２）紙幣処理部は、第一の一時保留部に収納されている第一の取引の紙幣を回収部へ移動する回収動作中に、入金口部から第二の一時保留部へ一枚ずつ第二の取引の紙幣を搬送する入金動作を実施する。これにより、第二の取引の入金動作と第一の取引の回収動作を並行して実施することが可能となる。すなわち、回収動作と入金動作の動作効率向上が可能となる。【０１０６】
また、この場合、紙幣処理部に入金動作をさせる駆動部と、回収動作をさせる駆動部とを別にしてもよい。【０１０７】
（３）紙幣処理部は、一時保留部と複数の回収部とを接続する回収搬送部に、回収識別部を有する。これにより、回収識別部がない場合に比べ、多様な運用が可能となる。同一種類の紙幣を収納する一時保留部を複数設定した場合であっても、異なる金種の紙幣を収納する一時保留部を複数設定した場合であっても、運用することが可能とある。【０１０８】
（４）紙幣処理部は、一時保留部と回収部とを接続する回収搬送部に、回収識別部を有し、回収識別部と回収部との間に、表裏反転部又は天地揃え部を有してよい。これにより一時保留部に収納された紙幣の方向がバラバラであっても、回収部では、紙幣の方向を統一することが可能となる。【０１０９】
また、この場合、一時保留部の数を減らしても、回収部では表裏、天地を揃えた状態の紙幣の回収が可能となる。【０１１０】
（５）紙幣処理部は、複数の一時保留部とこれに対応する回収部に含まれる複数の回収カセットと、それぞれの一時保留部に集積された紙幣を対応するそれぞれの回収カセットへ紙幣を移動させる回収移動部とを有し、一時保留部及び回収カセットは、いずれも横方向（水平方向であってもよい）に紙幣を集積し（紙幣を立位状態で集積するものであってもよい）、回収カセットは、スライドされることにより、一時保留部と着脱可能である。これにより、紙幣を一枚ずつ搬送する搬送路を有しなくとも、入金動作中に回収動作をすることが可能となる。【０１１１】
（６）紙幣処理部は、取扱いの少ない複数種類の紙幣（他の一時保留部では収納しない及び返却口に返却しない紙幣）を一時的に収納する損券一時収納部を有する。これにより、紙幣処理部は、取扱いの少ない複数種類の紙幣のために個別に利用する一時保留部を減らすことが可能とる。【０１１２】
（７）紙幣処理部は、回収識別部により、リジェクト紙幣（搬送状態の異常）と判断された紙幣を収納するリジェクト紙幣回収ユニットを、正券を回収する回収部よりも上流側に有する。これにより、回収時のリジェクトを抑制することが可能となる。
【符号の説明】
【０１１３】
１      紙幣処理装置
２      表示部
３      紙幣処理部
４      制御部(ＣＰＵ／メモリ)
５      紙幣
６      端末
７      テラー
８      顧客
９      供給電源部
１０    入金口部
１０Ａ  繰出部
１１    入金識別部
１２    返却口部
１３    損券一時保留部
１４    金種混合一時保留部
１５    金種混合一時保留部
１６    金種混合一時保留部
１７    入金搬送路
１８    バイパス搬送路
２０    回収識別部
２１    天地揃え部
２２    表裏反転部
２３    損券回収カセット
２４    リジェクト紙幣回収カセット
２５    紙幣帯封回収ユニット
２５Ａ  保留部
２５Ｂ  帯封部
２５Ｅ  収納部
２６    紙幣帯封回収ユニット
２６Ａ  保留部
２６Ｂ  帯封部
２６Ｅ  収納部
２７    回収搬送路
２８    回収接続搬送路
４１    金種別スタッカ部
４２    金種別スタッカ部
４３    金種別スタッカ部
４４    金種別スタッカ部
４５    金種別スタッカ部
４６    金種別スタッカ部
４７    金種別スタッカ部
１００〜１０３  紙幣回数カセット
１１３〜１１６  （一時保留部の）繰出し部
１２０〜１２３  回収移動部
Ｂ１    下流の分岐部
Ｂ２    上流の分岐部
【図１】
2018003145.tif 000003
【図２】
2018003145.tif 000004
【図３】
2018003145.tif 000005
【図４】
2018003145.tif 000006
【図５】
2018003145.tif 000007
【図６Ａ】
2018003145.tif 000008
【図６Ｂ】
2018003145.tif 000009
【図７】
2018003145.tif 000010
【国際調査報告】
2018003145.tif 000011
2018003145.tif 000012
2018003145.tif 000013
2018003145.tif 000014